(57)【要約】【課題】配信情報による広告効果を高めることが可能な、情報配信サーバ、携帯端末、これらを備えた情報配信システム及び情報配信方法を提供する。【解決手段】情報配信サーバ３０は、携帯端末１０のディスプレイ１６においてユーザがタッチした位置の座標情報とその際の時刻情報とを携帯端末１０から受信し付加視聴情報として蓄積する付加視聴情報蓄積部３５と、番組放送に含まれるオブジェクトとその位置とをオブジェクト情報として抽出する対象物解析部３２と、付加視聴情報とオブジェクト情報とを用いてユーザがタッチした位置にあったオブジェクトを特定しユーザの嗜好を分析する付加嗜好分析部３６と、ユーザの嗜好から携帯端末１０へ送信すべき関連番組及び関連商品情報を決定する配信情報特定部３８と、関連番組及び関連商品情報を携帯端末１０へ送信する配信情報送信部３９と、を備えている。【選択図】図２
2010178176.tif 000002
【特許請求の範囲】
【請求項１】
ユーザが視聴した映像に関する映像情報及び時刻情報を携帯端末から受信し、視聴情報として蓄積する視聴情報蓄積部と、
前記視聴情報に基づいて、前記ユーザの嗜好を分析する嗜好分析部と、
前記映像が表示される前記携帯端末の表示部において前記携帯端末のユーザが選択した領域の位置情報と前記ユーザが前記領域を選択した際の時刻情報とを前記携帯端末から受信し、付加視聴情報として蓄積する付加視聴情報蓄積部と、
前記視聴情報に基づいて前記携帯端末に送信された前記映像に含まれる対象物と前記対象物が表示されていた時刻情報と前記映像における前記対象物の位置情報とを抽出し、対象物情報として取得する対象物解析部と、
前記付加視聴情報に含まれる前記位置情報及び前記時刻情報と、前記対象物情報に含まれる前記対象物、前記時刻情報及び前記位置情報と、を用いて前記ユーザが選択した領域に表示されていた対象物である選択対象物を特定し、前記選択対象物から前記ユーザの嗜好を分析する付加嗜好分析部と、
前記嗜好分析部及び前記付加嗜好分析部において分析された前記ユーザの嗜好から前記携帯端末へ送信すべき前記配信情報を決定する配信情報特定部と、
前記配信情報特定部において特定された前記配信情報を前記携帯端末へ送信する配信情報送信部と、
を備えていることを特徴とする、情報配信サーバ。
【請求項２】
前記付加視聴情報には、前記位置情報を取得した際の視聴位置を示す視聴位置座標が含まれており、
前記付加嗜好分析部は、前記視聴位置座標を用いて前記ユーザの嗜好を分析する、
ことを特徴とする、請求項１に記載の情報配信サーバ。
【請求項３】
映像と前記映像に関する映像情報を受信する映像受信部と、
前記映像に関連して配信された配信情報を受信する配信情報受信部と、
前記映像及び前記配信情報を画面上に表示するための描画処理部と、
前記描画処理部において処理された処理画像を表示する表示部と、
前記映像が表示される前記表示部において、前記携帯端末のユーザが選択した領域を位置情報として取得する位置情報取得部と、
時刻情報を取得する時刻情報取得部と、
前記映像受信部で受信した前記映像情報及び当該受信に関する前記時刻情報を視聴情報として情報配信サーバへ送信する視聴情報送信部と、
前記位置情報と前記位置情報を取得した際の前記時刻情報とを付加視聴情報として前記情報配信サーバへ送信する付加視聴情報送信部と、
を備えることを特徴とする、携帯端末。
【請求項４】
前記表示部は、前記ユーザがタッチした位置を認識するタッチパネルを有し、
前記位置情報取得部は、前記タッチパネルから前記位置情報を取得する、
ことを特徴とする、請求項３に記載の携帯端末。
【請求項５】
前記位置情報を取得した際の前記ユーザの視聴位置を示す視聴位置座標を取得する視聴位置測位部をさらに備えており、
前記付加視聴情報には、前記視聴位置座標が含まれる、
ことを特徴とする、請求項３または４に記載の携帯端末。
【請求項６】
請求項１または２に記載の情報配信サーバと、
請求項３から５のいずれか１項に記載の携帯端末と、
を備えることを特徴とする、情報配信システム。
【請求項７】
ユーザが視聴した映像に関する映像情報及び時刻情報を携帯端末から受信し、視聴情報として蓄積する視聴情報蓄積ステップと、
前記視聴情報に基づいて、前記ユーザの嗜好を分析する嗜好分析ステップと、
前記映像が表示される前記携帯端末の表示部において前記携帯端末のユーザが選択した領域の位置情報と前記ユーザが前記領域を選択した際の時刻情報とを前記携帯端末から受信し、付加視聴情報として蓄積する付加視聴情報蓄積ステップと、
前記視聴情報に基づいて前記携帯端末に送信された前記映像に含まれる対象物と前記対象物が表示されていた時刻情報と前記映像における前記対象物の位置情報とを抽出し、対象物情報として取得する対象物解析ステップと、
前記付加視聴情報に含まれる前記位置情報及び前記時刻情報と、前記対象物情報に含まれる前記対象物、前記時刻情報及び前記位置情報と、を用いて前記ユーザが選択した領域に表示されていた対象物である選択対象物を特定し、前記選択対象物から前記ユーザの嗜好を分析する付加嗜好分析ステップと、
前記嗜好分析ステップ及び前記付加嗜好分析ステップにおいて分析された前記ユーザの嗜好から前記携帯端末へ送信すべき前記配信情報を決定する配信情報特定ステップと、
前記配信情報特定ステップにおいて特定された前記配信情報を前記携帯端末へ送信する配信情報送信ステップと、
を備えていることを特徴とする、情報配信方法。
【発明の詳細な説明】
【技術分野】
【０００１】
本発明は、携帯端末のユーザの嗜好に応じた情報を配信するための情報配信サーバ、携帯端末、これらを備えた情報配信システム及び情報配信方法に関する。
【背景技術】
【０００２】
近年、ネットワークのブロードバンド化が著しく、放送・通信の領域を問わず多種多様な映像配信サービスが提供されている。放送の領域に着目すると、地上波放送及びＢＳ（Broadcasting Satellite）放送において、放送事業者が放送コンテンツとともにＢＭＬ（Broadcast Markup Language）言語で記述されたデータ放送サービスを提供しており、天気やニュースを初めとして、関連番組や関連商品といった多種多様な情報を入手することができる。
【０００３】
一方、通信の領域では、ブロードバンド通信インフラを活用したＶＯＤ（Video On Demand）映像配信サービスを提供しており、上り下りの通信が可能なことを活かして、配信している映像に関連する商品などといった情報を付帯して配信させ、ＥＣ（Electric Commerce）ビジネスを展開している。
【０００４】
このような状況の下、ユーザの趣味や嗜好に応じた広告を配信する技術が開示されている。
【０００５】
特許文献１では、ユーザ端末に対するコンテンツの送信履歴から分類分析を行ってユーザの嗜好情報を生成し、ユーザの趣味や嗜好に応じた広告を配信する方法が開示されている。また、特許文献２においても、視聴者端末の視聴履歴から視聴者にリコメンドする映像情報を特定する方法が開示されている。
【先行技術文献】
【特許文献】
【０００６】
【特許文献１】特開２００４−９４３８４号公報
【特許文献２】特開２００５−１１００１６号公報
【発明の概要】
【発明が解決しようとする課題】
【０００７】
しかしながら、上記特許文献１、２においては、ユーザの嗜好を分析にするにあたって、送信したコンテンツの視聴履歴情報に対して事前に関連があるとして処理した情報にしか基づくことができない。このため、画一的な情報配信に留まっている。
【０００８】
本発明は、係る状況を鑑み、配信情報による広告効果を高めることが可能な、情報配信サーバ、携帯端末、これらを備えた情報配信システム及び情報配信方法を提供することを目的とする。
【課題を解決するための手段】
【０００９】
上記課題を解決するため、本発明の情報配信サーバは、ユーザが視聴した映像に関する映像情報及び時刻情報を携帯端末から受信し、視聴情報として蓄積する視聴情報蓄積部と、視聴情報に基づいて、ユーザの嗜好を分析する嗜好分析部と、映像が表示される携帯端末の表示部において携帯端末のユーザが選択した領域の位置情報とユーザが領域を選択した際の時刻情報とを携帯端末から受信し、付加視聴情報として蓄積する付加視聴情報蓄積部と、視聴情報に基づいて携帯端末に送信された映像に含まれる対象物と対象物が表示されていた時刻情報と映像における対象物の位置情報とを抽出し、対象物情報として取得する対象物解析部と、付加視聴情報に含まれる位置情報及び時刻情報と、対象物情報に含まれる対象物、時刻情報及び位置情報と、を用いてユーザが選択した領域に表示されていた対象物である選択対象物を特定し、選択対象物からユーザの嗜好を分析する付加嗜好分析部と、嗜好分析部及び付加嗜好分析部において分析されたユーザの嗜好から携帯端末へ送信すべき配信情報を決定する配信情報特定部と、配信情報特定部において特定された配信情報を携帯端末へ送信する配信情報送信部と、を備えていることを特徴とする。
【００１０】
或いは、本発明の携帯端末は、映像と映像に関する映像情報を受信する映像受信部と、映像に関連して配信された配信情報を受信する配信情報受信部と、映像及び配信情報を画面上に表示するための描画処理部と、描画処理部において処理された処理画像を表示する表示部と、映像が表示される表示部において、携帯端末のユーザが選択した領域を位置情報として取得する位置情報取得部と、時刻情報を取得する時刻情報取得部と、映像受信部で受信した映像情報及び当該受信に関する時刻情報を視聴情報として情報配信サーバへ送信する視聴情報送信部と、位置情報と位置情報を取得した際の時刻情報とを付加視聴情報として情報配信サーバへ送信する付加視聴情報送信部と、を備えることを特徴とする。
【００１１】
或いは、本発明の情報配信システムは、上述の情報配信サーバと、上述の携帯端末と、を備えることを特徴とする。
【００１２】
或いは、本発明の情報配信方法は、ユーザが視聴した映像に関する映像情報及び時刻情報を携帯端末から受信し、視聴情報として蓄積する視聴情報蓄積ステップと、視聴情報に基づいて、ユーザの嗜好を分析する嗜好分析ステップと、映像が表示される携帯端末の表示部において携帯端末のユーザが選択した領域の位置情報とユーザが領域を選択した際の時刻情報とを携帯端末から受信し、付加視聴情報として蓄積する付加視聴情報蓄積ステップと、視聴情報に基づいて携帯端末に送信された映像に含まれる対象物と対象物が表示されていた時刻情報と映像における対象物の位置情報とを抽出し、対象物情報として取得する対象物解析ステップと、付加視聴情報に含まれる位置情報及び時刻情報と、対象物情報に含まれる対象物、時刻情報及び位置情報と、を用いてユーザが選択した領域に表示されていた対象物である選択対象物を特定し、選択対象物からユーザの嗜好を分析する付加嗜好分析ステップと、嗜好分析ステップ及び付加嗜好分析ステップにおいて分析されたユーザの嗜好から携帯端末へ送信すべき配信情報を決定する配信情報特定ステップと、配信情報特定ステップにおいて特定された配信情報を携帯端末へ送信する配信情報送信ステップと、を備えていることを特徴とする。。
【００１３】
このような情報配信サーバ、携帯端末、これらを備えた情報配信システム及び情報配信方法によれば、映像に含まれる、例えば、人物や商品といった対象物のうち、携帯端末のユーザが興味を示した対象物を特定し、ユーザの嗜好を分析することが可能となる。すなわち、ユーザが表示部に表示される映像の一部を選択した際の選択領域に関する座標情報が取得され、携帯端末に送信した映像に関する映像情報及び選択領域に関する座標情報から対象物が特定され、特定された対象物からユーザの嗜好が分析され、ユーザが興味を示すと思われる情報が特定される。
【００１４】
これによれば、従来のユーザが視聴した番組に関する情報だけでなく、番組の映像に含まれる、例えば、人物や商品といった対象物も取得することができるので、より多くの情報からユーザの嗜好を分析することが可能となる。この結果、精度の高い嗜好分析ができ、ユーザがより興味を示すと思われる情報を柔軟に特定できるようになるので、配信情報による広告効果を高めることが可能となる。
【００１５】
付加視聴情報には、位置情報を取得した際の視聴位置を示す視聴位置座標が含まれており、付加嗜好分析部は、視聴位置座標を用いてユーザの嗜好を分析する、ことが好ましい。こうすれば、例えば、番組を視聴した際の視聴位置座標とその時間帯との関係を利用して、ユーザの職業を分析することが可能となる。そして、ユーザの職業を考慮することによって、より精度の高い嗜好分析ができるようになる。
【００１６】
表示部は、ユーザがタッチした位置を認識するタッチパネルを有し、座標情報取得部は、タッチパネルから座標情報を取得することが好ましい。こうすれば、表示部上において携帯端末のユーザが選択した位置を容易に取得することができるようになる。
【００１７】
また、携帯端末は、座標情報を取得した際のユーザの視聴位置を示す視聴位置座標を取得する視聴位置測位部をさらに備えており、付加視聴情報には、視聴位置座標が含まれる、ことが好ましい。こうすれば、例えば、番組を視聴した際の視聴位置座標とその時間帯との関係を利用して、ユーザの職業を分析することが可能となる。そして、ユーザの職業を考慮することによって、より精度の高い嗜好分析ができるようになる。
【発明の効果】
【００１８】
本発明によれば、ユーザがより興味を示すと思われる情報を柔軟に特定できるようになるので、配信情報による広告効果を高めることが可能となる。
【図面の簡単な説明】
【００１９】
【図１】本発明の好適な一実施形態にかかる情報配信システムの概略構成図である。
【図２】図１の情報配信システムの構成をより詳細に示すブロック図である。
【図３】図１の情報配信システムを構成する情報サーバのハードウェア構成を示す図である。
【図４】図２の視聴情報送信部及び付加視聴情報送信部が送信するデータ構成を示す図である。
【図５】図２のディスプレイに表示される放送番組とオブジェクトを説明する説明図。
【図６】図１の情報配信システムにおける携帯端末の動作を示すフローチャート。
【図７】図１の情報配信システムにおける情報配信サーバの動作を示すフローチャート。
【図８】図２の配信情報特定部における興味オブジェクト特定の方法を示す説明図。
【図９】図２の付加嗜好分析部において職業を推定する際に用いられるマトリックス。
【図１０】図２の配信情報特定部に送信される関連番組及び関連商品に関するデータの構造を示す説明図。
【図１１】図２の配信情報特定部において関連番組、関連商品を特定する方法を説明する説明図。
【図１２】図２の配信情報特定部が蓄積する画面遷移状況に関するデータを示した説明図。
【図１３】図２の配信情報特定部が画面遷移状況を取得する際のデータの内容を説明する説明図。
【発明を実施するための形態】
【００２０】
本発明の好適な一実施形態に係る情報配信システム１について、図１〜図１３を用いて説明する。なお、図面の説明においては、同一要素には同一符号を付し、重複する説明を省略する。
【００２１】
図１は、本発明の一実施形態に係る情報配信システム１の概略図、図２は、情報配信システム１をより詳細に示す機能ブロック図である。
【００２２】
情報配信システム１は、携帯端末１０と情報配信サーバ３０とを備えている。そして、移動体通信網、インターネット、及びイントラネット等によって構成される通信ネットワークＮＷを介して、複数の携帯端末１０と情報配信サーバ３０とがデータ通信可能な状態で接続されている。
【００２３】
ここで、図３は、情報配信システム１を構成する情報配信サーバ３０のハードウェア構成図である。このように、情報配信サーバ３０は、物理的には、同図に示すように、ＣＰＵ４１、主記憶装置であるＲＡＭ４２及びＲＯＭ４３、ハードディスク装置、メモリカード等の補助記憶装置４５、入力デバイスである入力キー、マイク等の入力装置４６、スピーカ、ディスプレイ等の出力装置４７、通信ネットワークＮＷとの間でのデータの送受信を司る通信モジュール４４等を含む情報処理装置として構成されている。情報配信サーバ３０によって実現される機能は、図３に示すＣＰＵ４１、ＲＡＭ４２等のハードウェア上に所定のプログラムを読み込ませることにより、ＣＰＵ４１の制御のもとで通信モジュール４４、入力装置４６、出力装置４７を動作させるとともに、ＲＡＭ４２や補助記憶装置４５におけるデータの読み出し及び書き込みを行うことで実現される。
【００２４】
以下、情報配信システム１を構成する携帯端末１０と情報配信サーバ３０の機能について説明する。
【００２５】
携帯端末１０は、配信情報受信部１１と、配信情報処理部１２と、映像受信部１３と、映像処理部１４と、描画処理部１５と、ディスプレイ（表示部）１６と、座標情報取得部１７と、視聴位置測位部１８と、時刻情報取得部１９と、視聴情報送信部２０と、付加視聴情報送信部２１と、を有している。
【００２６】
配信情報受信部１１は、映像受信部１３が受信する番組放送（映像）に関連し、ユーザが興味を示すと思われる関連番組情報及び関連商品情報（配信情報）を受信する。なお、情報配信サーバ３０より送信される関連番組情報及び関連商品情報の内容やその特定方法については、後段にて詳述する。
【００２７】
配信情報処理部１２は、配信情報受信部１１において受信された関連番組情報及び関連商品情報をディスプレイ１６に表示するための処理を行う。
【００２８】
映像受信部１３は、情報配信サーバ３０から送信される番組放送と、番組放送に関する番組情報（映像情報）を受信する。なお、番組情報には、例えば、視聴番組名、視聴動画名、放送時間、ジャンルといった項目が含まれる。
【００２９】
映像処理部１４は、映像受信部１３において受信された番組放送をディスプレイ１６に表示するための処理を行う。
【００３０】
描画処理部１５は、番組放送及び関連番組情報及び関連商品情報をディスプレイ１６において同一画面上に表示するための画像処理を行う。
【００３１】
ディスプレイ１６は、描画処理部１５において処理された処理画像を表示する。また、ディスプレイ１６は、タッチパネル機能を有しており、携帯端末１０のユーザがディスプレイ１６の画面上をタッチした際には、タッチした領域を認識することができる。
【００３２】
座標情報取得部１７は、画面上をタッチされたことをディスプレイ１６が認識した際に、ユーザがタッチした領域を座標情報（位置情報）として取得する。
【００３３】
視聴位置測位部１８は、座標情報取得部１７が座標情報を取得した際の視聴位置を示す視聴位置座標を取得する。視聴位置座標は、例えば、「東経１３５度、北緯４０度」といったデータ形式で取得される。
【００３４】
時刻情報取得部１９は、時刻情報を取得する。時刻情報は、例えば、「２００８．０９．０８．１６：００」といったデータ形式で取得される。
【００３５】
視聴情報送信部２０は、映像受信部１３で受信した番組放送に関する番組情報と、時刻情報取得部１９で取得した番組を視聴した時刻情報を視聴情報として情報配信サーバ３０へ送信する。例えば、図４に示すように、視聴日時、ジャンル、視聴番組／動画名について、「２００８．０９．１６．２１：００」、「バラエティ」、「◎◎◎」といった情報を情報配信サーバ３０へ送信する。
【００３６】
付加視聴情報送信部２１は、座標情報取得部１７で取得した座標情報と、視聴位置測位部１８で取得した視聴位置座標と、時刻情報取得部１９で取得したユーザがディスプレイにタッチした際の時刻情報を付加視聴情報として情報配信サーバ３０へ送信する。例えば、図４に示すように、時刻情報（ここでは、視聴日時と示す）と座標情報と視聴位置座標が付加され、「２００８．０９．１６．２１：００」、「Ｘ，Ｘ」、「東経１３５度、北緯４０度」といった情報を情報配信サーバ３０へ送信する。
【００３７】
情報配信サーバ３０は、映像送信部３１と、対象物解析部３２と、視聴情報蓄積部３３と、嗜好分析部３４と、付加視聴情報蓄積部３５と、付加嗜好分析部３６と、映像情報蓄積部３７と、配信情報特定部３８と、配信情報送信部３９と、を有している。
【００３８】
映像送信部３１は、携帯端末１０に向けて、例えば、番組や商品等の映像を送信する。
【００３９】
対象物解析部３２は、携帯端末１０に送信された番組放送の映像に含まれるオブジェクト（対象物）を抽出する。具体的には、図５に示すように、送信された番組放送の映像に含まれるオブジェクト人物名１、人物名２、ポスターをオブジェクトとして抽出する。次に、対象物解析部３２は、映像におけるオブジェクト領域の位置を座標情報（位置情報）として取得する。そして、対象物解析部３２は、映像情報蓄積部３７に蓄積された番組情報を元に、オブジェクトに関連する情報をタグ情報として取得する。対象物解析部３２によって取得されたオブジェクトは、図５に示すように、対象オブジェクト名、対象領域、タグに関する情報を有している。例えば、対象オブジェクト名が「人物名１」であるオブジェクトに対しては、対象領域を示す位置情報と、タグ情報として対象オブジェクトに関連するキーワード等の情報を有している。
【００４０】
視聴情報蓄積部３３は、携帯端末１０から送信される視聴情報を蓄積する。ここで、視聴情報には、上述したように、映像情報（視聴番組／動画名、ジャンル）と視聴日時とが含まれている。
【００４１】
嗜好分析部３４は、視聴情報に基づいて、携帯端末１０のユーザの嗜好を分析する。なお、ユーザの嗜好の分析方法は多種多様であり、例えば、一定期間に取得された視聴情報のうち取得頻度の高い番組放送名や番組ジャンル等を、そのユーザの興味が高いものと分析したりすることができる。
【００４２】
付加視聴情報蓄積部３５は、携帯端末１０から送信される付加視聴情報を蓄積する。付加視聴情報には、上述したように、ユーザがタッチした領域の座標情報と、ユーザがタッチした際の視聴位置座標および視聴日時とが含まれている。
【００４３】
付加嗜好分析部３６は、付加視聴情報に含まれる座標情報及び視聴日時と、オブジェクト情報に含まれるオブジェクト名、視聴日時及び座標情報と、を用いてユーザが選択した領域に表示されていたオブジェクトを特定し、特定されたオブジェクトからユーザの嗜好を分析する。すなわち、ユーザが携帯端末のディスプレイ上でタッチした位置に表示されていたオブジェクトを、視聴日時と座標情報とをキーにして特定している。そして、特定されたオブジェクトが有しているタグ情報を元にユーザの興味の有無を分析する。これによれば、例えば、番組放送においてユーザが興味を持った人物を特定できるようになる。そして、特定された人物に付加されているタグ情報に基づいてユーザの興味を分析することができる。
【００４４】
映像情報蓄積部３７は、携帯端末１０向けに送信した映像に関する情報を蓄積する。
【００４５】
配信情報特定部３８は、嗜好分析部３４及び付加嗜好分析部３６において分析された内容から携帯端末１０へ送信すべき関連番組及び関連商品の情報を特定する。すなわち、配信情報特定部３８は、携帯端末１０のユーザが興味を示す可能性の高い情報を特定し、関連番組情報及び関連商品情報として決定する。
【００４６】
配信情報送信部３９は、配信情報特定部３８において決定された関連番組情報及び関連商品情報を携帯端末１０へ送信する。
【００４７】
以下、図６，図７を用いて、情報配信システム１の動作について説明する。
【００４８】
最初に、携帯端末１０側における視聴情報、付加視聴情報送信時の動作を説明する。
【００４９】
ユーザが携帯端末１０にて動画視聴のためのアプリケーションを起動すると（ステップＳ１１）、携帯端末１０における映像受信部１３は、情報配信サーバ３０における映像送信部３１から送信される放送番組や動画ファイルといった映像を受信する（ステップＳ１２）。そして、映像処理部１４においてデコーディング等の処理を経て、描画処理部１５を経由してディスプレイ１６に表示する。このとき、描画処理部１５は、現在描画している放送番組の視聴番組名や動画名といった番組情報を映像受信部１３より取得する（ステップＳ１３）。また、時刻情報取得部１９は、視聴日時を取得する（ステップＳ１４）。そして、視聴情報送信部２０は、描画処理部１５において取得された番組情報と、時刻情報取得部１９において取得された視聴日時とを、その携帯端末を使用するユーザの視聴情報として情報配信サーバ３０へ送信する（ステップＳ１５）。
【００５０】
さらに、携帯端末１０においては、番組放送を視聴した際の視聴位置を視聴位置測位部１８によって取得することができる（ステップＳ１６）。また、ユーザが、ディスプレイ１６に描画された画面の一部に興味を示し、ディスプレイ１６に描画された画面の一部をタッチすると、タッチパネル機能を有するディスプレイ１６は、その位置を認識する（ステップＳ１７）。そして、座標情報取得部１７は、タッチパネル機能を有するディスプレイ１６がその位置を認識すると、ユーザがタッチした領域の座標情報を取得する（ステップＳ１８）。具体的に説明すると、図５に示すように、ユーザが、ディスプレイ１６に表示された番組放送の、例えば、登場人物付近をタッチすると、タッチパネル機能を有するディスプレイ１６は、その画面上におけるユーザのタッチした位置を認識することができる。このとき、座標情報取得部１７は、ユーザがタッチした位置を座標情報として取得することができる。同時に、時刻情報取得部１９は、ユーザがタッチした際の時刻情報（動画であればタッチした際の視聴時間箇所でもよい）も取得する（ステップＳ１８）。そして、付加視聴情報送信部２１は、視聴位置測位部１８において取得された視聴位置と、座標情報取得部１７において取得された座標情報と、前述の座標情報を取得した際の時刻情報とを付加視聴情報として情報配信サーバ３０へ送信する（ステップＳ１９）。
【００５１】
次に、情報配信サーバ３０側における視聴情報、付加視聴情報の蓄積、及び、関連番組及び関連商品情報送信時の動作を説明する。
【００５２】
情報配信サーバ３０では、携帯端末１０より視聴情報を受信すると、その視聴情報を視聴情報蓄積部３３に蓄積する（ステップＳ２１）。次に、嗜好分析部３４は、視聴情報蓄積部３３に蓄積された、例えば、図４に示すような過去の視聴情報の傾向に基づいて、当該ユーザの嗜好を分析する（ステップＳ２２）。そして、嗜好分析部３４によって分析された当該ユーザの嗜好は、配信情報特定部３８に送出される。なお、ここでの嗜好分析方法と、ステップＳ２２以降における関連番組情報及び関連商品情報（配信情報）を特定する方法については、後段にて詳述する。
【００５３】
さらに、情報配信システム１では、対象物解析部３２が、番組放送の特徴オブジェクト（対象物）を解析している（ステップＳ０２）。具体的には、図５に示すような映像の中から、例えば、人、物、背景、情報テロップのようなオブジェクトを抽出する。そして、対象物解析部３２は、映像におけるオブジェクトの領域を座標情報として取得する。また、取得されたオブジェクトにタグとして付与する情報を映像情報蓄積部３７に蓄積された番組情報から取得する。例えば、図５に示すように、取得されたオブジェクトに対して、“人物名”や“職業”といった情報を取得する。そして、取得されたオブジェクトに対し、座標情報とタグ情報（映像情報蓄積部３７から取得された情報）を付与する（ステップＳ０３）。
【００５４】
付加嗜好分析部３６は、付加視聴情報蓄積部３５に蓄積された付加嗜好情報と、前述の対象物解析部３２によって付与されたタグ情報とに基づいて、ユーザが映像視聴中に興味を示した箇所を特定する（ステップＳ３２）。具体的には、付加視聴情報蓄積部３５に蓄積されているユーザが興味を示した領域に関する座標情報及び時刻情報と、映像情報蓄積部３７に蓄積されている番組情報及びオブジェクト情報に含まれる対象領域の座標とを突合わせる。これにより、ユーザが番組放送を視聴中にタッチしたオブジェクト、すなわち、ユーザが興味を示したオブジェクトを導出することができる。これにより、例えば、「番組放送の出演俳優に興味を持ったか」、「出演者の持ち物や服装に興味を持ったか」、「紹介されたお店に興味を持ったか」といった情報を取得することが可能となり、付加嗜好分析部３６においてより精度の高い分析を可能とすることができる。
【００５５】
次に、付加嗜好分析部３６において導出されたオブジェクトからどのようにユーザの嗜好を分析するかについて説明する。
【００５６】
まず、ステップＳ３２においてオブジェクトが導出されると（ステップＳ３３）と、付加嗜好分析部３６は、図８に示すように、そのオブジェクトが同じ番組放送の中でＮ回以上選択されたかどうかを確認する（ステップＳ３４）。このとき、ステップＳ３３において導出されたオブジェクトがＮ回以上選択されていれば、付加嗜好分析部３６は、当該選択オブジェクトを携帯端末のユーザの「興味オブジェクト」と判断する。一方、ステップＳ３３において導出されたオブジェクトがＮ回以上選択されていなければ、当該選択オブジェクトを携帯端末のユーザの「興味オブジェクト」と判断せず、ステップＳ３３に戻り、次のオブジェクトが導出されるのを待つ。
【００５７】
次に、付加嗜好分析部３６は、興味オブジェクトに付与されているタグ情報を導出し（ステップＳ３６）、そのタグ情報を配信情報特定部３８に送信する。具体的には、図８に示すように、興味オブジェクトに対してタグ情報と付与されている○○○○，×××，…といった情報を配信情報特定部３８に送信する。
【００５８】
また、上段に示したように、付加視聴情報蓄積部３５には、番組放送を視聴した際の位置情報も付加視聴情報と蓄積している。これにより、例えば、「自宅で視聴しているか」、「外出先で視聴しているか」といった携帯端末１０のユーザの視聴スタイルを推定することができる。この結果、「外出中であれば時間潰しの利用形態が多いことから、商品に関する情報をより多く提示する」といった、よりレスポンス率の高い関連商品情報を提示することが可能となる。
【００５９】
さらに、情報配信システム１では、携帯端末１０のユーザの職業を推定することが可能である。具体的には、図９に示すような、番組放送を視聴する時間帯とその視聴位置との関係から推定職業を推定するためのマトリックスを統計的手法によって作成することによって、携帯端末１０のユーザの職業を推定することができる。具体的には、付加視聴情報蓄積部３５に蓄積された情報に基づいて、図９に示す時間帯に対応するユーザ位置情報の特徴をＭ回以上満たすかを判断する（ステップＳ３７）。例えば、「１２：００〜１３：００の時間帯」に「ビジネス街の固定位置」において番組放送をＭ回以上視聴した履歴がある場合には、そのユーザの職業を「会社員」と推定することが可能となる（ステップＳ３８）。一方、図９に示す時間帯に対応するユーザ位置情報の特徴がＭ回以上一致しない場合には、そのユーザの職業を推定することは見合わせる（ステップＳ３１）。
【００６０】
このように付加嗜好分析部３６により導出された興味オブジェクトに関する情報と推定職業とは、配信情報特定部３８に送出される（ステップＳ３９）。配信情報特定部３８によって送出されるデータは、例えば、図１０に示すように、視聴番組名と視聴時間帯と興味オブジェクトと興味オブジェクトタブと推定職業とが含まれており、それぞれ、例えば、「○○○」、「２００９．０１．０６  １２：０３：２００−１２：２５：４３」、「人物２」、「○○○○、ＸＸＸ、・・・」、「会社員」のようなフォーマットである。
【００６１】
配信情報特定部３８は、嗜好分析部３４及び付加嗜好分析部３６において分析された内容から携帯端末１０へ送信すべき配信情報、すなわち、携帯端末１０のユーザが興味を示す可能性の高い番組情報や商品情報を配信情報として特定する。
【００６２】
以下、配信情報特定部３８における配信情報特定の方法の一例を説明する。
【００６３】
映像情報蓄積部３７に蓄積される番組情報には、図４に示すように、番組名や動画名に対してジャンルベース（“ドラマ”，“バラエティ”，“ドキュメンタリー”等）の分類タグが付与されている。これにより、これらのタグ情報を利用してユーザの視聴情報の傾向を分析したり、各種条件抽出等を行うことができる。例えば、ユーザの視聴頻度の高いジャンルベースに該当する分類タグを有する番組放送名を関連番組情報として選定したりすることが可能である。
【００６４】
ここで、嗜好分析部３４が、視聴情報蓄積部３３に蓄積された情報と、予め記憶している放映予定番組表とから、例えば、視聴頻度の高さを根拠として「バラエティ番組」をユーザの嗜好であると分析した場合について説明する。このとき、配信情報特定部３８は、例えば、図１１に示すような２００８年９月１７日の放映予定番組表を参照し、ＣＨ３の１９：００〜２０：００のバラエティ番組、ＣＨ４の１９：００〜２０：００及び２２：００〜２４：００の両バラエティ番組を、ユーザが興味を持つ可能性の高い、関連番組として抽出する。また、配信情報特定部３８は、図１１に示すように、「バラエティ番組」をキーワードとして、タグ情報に「バラエティ番組」を有する商品Ｂ、商品Ｃをユーザが興味を持つ可能性の高い関連商品として抽出することが可能となる。
【００６５】
また、配信情報特定部３８は、付加嗜好分析部３６が導出した興味オブジェクトに付与されているタグ情報から関連番組及び関連商品を抽出することも可能である。具体的には、例えば、抽出された興味オブジェクトのタグ情報の中に「バラエティ番組」が含まれていれば、タグ情報に「バラエティ番組」を有する番組や商品をユーザが興味を持つ可能性の高い関連番組、関連商品として抽出することが可能となる。これにより、番組放送に含まれるオブジェクトに対する興味を根拠としてユーザの嗜好を分析することができるので、よりユーザの嗜好にあった関連番組及び関連商品を抽出することが可能となる。
【００６６】
以上によって特定された関連番組及び商品情報は、配信情報送信部３９によって、例えば、サムネイル画像として携帯端末１０へ送信される（ステップＳ２４）。
【００６７】
なお、配信情報特定部３８では、関連番組情報及び関連商品情報に対するレスポンス傾向（クリック回数・ページ遷移数など）を元にして、時刻によって最も高レスポンス率を期待できる関連番組情報及び関連商品情報を特定することも可能である。
【００６８】
具体的には、図１２に示すように、関連番組情報及び関連商品情報を送信した際にアクションを起こしたユーザ名と、そのときの視聴番組名、選択された関連番組情報及び関連商品情報、ページ遷移状況を蓄積する。ここで、ページ遷移状況に関するデータについて、図１３に示すようなページ遷移をする関連商品情報を送信した場合について説明する。すなわち、ページ遷移状況とは、ユーザが関連商品情報を選択した際に、「関連商品情報表示画面」→「関連商品詳細表示画面」→「関連商品購入画面」→「関連商品購入完了表示画面」のように画面遷移が生じるような関連情報が送信された場合において、ユーザが、「関連商品詳細表示画面で関連商品情報ウィンドウを閉じた（図１３では関連商品でｏｕｔと記載）」、「関連商品購入画面で関連商品情報ウィンドウを閉じた（図１３では商品購入でｏｕｔと記載）」等の情報を意味している。
【００６９】
そして、このように取得された情報を統計的に処理し、例えば、関連商品の購入履歴やページ遷移履歴を解析することにより、「夕方の料理番組の際に関連商品情報としてケータリングに関する情報を送信すると、クリック率や商品購入率が高くなる」といった判断をすることが可能となる。そして、配信情報特定部３８は、そのような情報を、同じ時間帯に放送される料理番組の関連情報として、全ての視聴者に送信するような処理をすることも可能となる。
【００７０】
次に、図６に戻って、携帯端末１０側における関連番組情報及び関連商品情報受信時の動作について説明する。
【００７１】
配信情報送信部３９が、特定の携帯端末１０に向けて配信情報を送信すると、配信情報受信部１１は、関連番組情報及び商品情報を受信する（ステップＳ４１）。そして、関連番組情報及び商品情報は、配信情報処理部１２を経て描画処理部１５へ転送される。描画処理部１５に転送された関連番組情報及び商品情報は、映像受信部１３において受信された番組放送とディスプレイ１６の一画面上に表示されるように画像処理される（ステップＳ４２）。そして、描画処理部１５によって処理された画像は、ディスプレイ１６上に表示される（ステップＳ４３）。
【００７２】
このようにして、ユーザは、番組放送と同時に表示される関連番組情報及び関連商品情報をみて、そのオブジェクトをタッチすることにより当該情報を参照することができるようになる。
【００７３】
以上、説明した情報配信サーバ３０、携帯端末１０、情報配信システム１、情報配信方法によれば、番組放送に含まれる、例えば、人物や商品といったオブジェクトのうち、携帯端末１０のユーザが興味を示したオブジェクトを特定し、ユーザの嗜好を分析することが可能となる。すなわち、ユーザがディスプレイ１６に表示される番組放送の映像の一部を選択した際の選択領域に関する座標情報が取得され、携帯端末１０に送信した番組放送に関する番組情報及び選択領域に関する座標情報からオブジェクトが特定され、特定されたオブジェクトからユーザの嗜好が分析され、ユーザが興味を示すと思われる関連番組情報及び関連商品情報が特定される。これによれば、ユーザが興味を示した番組放送に出てくる人物や商品といったオブジェクトも取得することができるので、より多くの情報からユーザの嗜好を分析することが可能としている。この結果、精度の高い嗜好分析ができ、ユーザがより興味を示すと思われる関連番組及び関連商品情報を柔軟に選択し配信することができるので、広告効果を高めることを可能としている。
【００７４】
また、視聴情報には、座標情報を取得した際の視聴位置を示す視聴位置座標が含まれている。これにより、番組を視聴した際の視聴位置座標とその時間帯との関係を利用して、ユーザの職業を分析することを可能としている。
【００７５】
また、携帯端末１０においては、視聴情報送信部２０が映像受信部１３で受信した番組情報及び番組を視聴した際の時刻情報を視聴情報として情報配信サーバ３０へ送信している。これにより、ユーザが視聴した番組情報も利用して、より精度の高い嗜好分析をすることを可能としている。
【００７６】
また、ディスプレイ１６は、ユーザがタッチした位置を認識するタッチパネル機能を有し、座標情報取得部１７は、タッチパネルから座標情報を取得している。これにより、ディスプレイ１６上において携帯端末１０のユーザが選択した位置を容易に取得することを可能としている。
【００７７】
また、携帯端末１０は、座標情報を取得した際の視聴位置を示す視聴位置座標を取得する視聴位置測位部１８を備えており、付加視聴情報には、視聴位置座標が含まれている。これにより、番組を視聴した際の視聴位置座標とその時間帯との関係を利用して、ユーザの職業を分析することを可能としている。
【００７８】
なお、本発明は、前述した実施形態に限定されるものではない。
【００７９】
例えば、情報配信サーバ３０は、携帯端末１０に映像を配信する映像送信部３１を備えておらず、他のサーバから送信されていてもよい。この場合であっても、他のサーバから送信された番組情報を映像情報蓄積部３７に蓄積することによって、上記実施形態の情報配信システム１と同様の効果を得ることができる。
【００８０】
また、例えば、配信情報として、ユーザが興味を示すと思われるイベント情報等を配信してもよい。
【００８１】
また、例えば、携帯端末１０を家庭内レコーダーに置き換えることで、モバイルでの視聴形態と同様の効果を見出すことが可能となる。
【００８２】
また、情報配信サーバ３０が蓄積する視聴情報、付加視聴情報は、図４に示すようなデータとして蓄積することを説明したが、視聴情報と付加視聴情報とは、それぞれ別のデータとして蓄積されてもよい。その場合、例えば、視聴情報は、「視聴日時」、「ジャンル」、「視聴番組／動画名」を蓄積し、付加視聴情報は、「ユーザがディスプレイ１６をタッチした際の時刻情報」、「座標情報」、「視聴位置情報」等の情報を有していればよい。
【００８３】
また、例えば、図６、図７に示す情報配信サーバ、携帯端末の動作は、コンピュータに実行させるプログラムとしても実現することが可能である。
【符号の説明】
【００８４】
１…情報配信システム、１０…携帯端末、１１…配信情報受信部、１２…配信情報処理部、１３…映像受信部、１４…映像処理部、１５…   描画処理部、１６…ディスプレイ（表示部）、１７…座標情報取得部、１８…視聴位置測位部、１９…時刻情報取得部、２０…視聴情報送信部、２１…付加視聴情報送信部、３０…情報配信サーバ、３１…映像送信部、３２…対象物解析部、３３…視聴情報蓄積部、３４…嗜好分析部、３５…付加視聴情報蓄積部、３６…付加嗜好分析部、３７…映像情報蓄積部、３８…配信情報特定部、３９…配信情報送信部、４４…通信モジュール、４５…補助記憶装置、４６…入力装置、４７…出力装置、ＮＷ…通信ネットワーク
【図１】
2010178176.tif 000003
【図２】
2010178176.tif 000004
【図３】
2010178176.tif 000005
【図４】
2010178176.tif 000006
【図５】
2010178176.tif 000007
【図６】
2010178176.tif 000008
【図７】
2010178176.tif 000009
【図８】
2010178176.tif 000010
【図９】
2010178176.tif 000011
【図１０】
2010178176.tif 000012
【図１１】
2010178176.tif 000013
【図１２】
2010178176.tif 000014
【図１３】
2010178176.tif 000015